(57)【特許請求の範囲】
【請求項１】
クリップ本体とそのクリップ本体を固定するクリップ被固定体との間に形成した挟み込み部によって薄物たる被クリップ体を挟み込むクリップ構造であって、
クリップ本体を被クリップ体側へ押圧することによってクリップ本体が被クリップ体を把持する把持力を調整可能な調整体を設け、その調整体は、取付部を支点としてクリップ本体当接部を回動自在とするための支持脚部を備え、一方、クリップ被固定体に調整体を取付けるための取付部を備えて、前記調整体の取付部をクリップ被固定体の取付部に取付けて、その取付部を支点とした調整体の回動によって、クリップ本体当接部とクリップ本体との当接位置を変更することによって、クリップ本体の把持力の強弱を調整可能とするクリップ構造。
【請求項２】
クリップ本体とそのクリップ本体を固定するクリップ被固定体との間に形成した挟み込み部によって薄物たる被クリップ体を挟み込むクリップ構造であって、
クリップ本体を被クリップ体側へ押圧することによってクリップ本体が被クリップ体を把持する把持力を調整可能な調整体を設け、その調整体は、取付部を支点としてクリップ本体当接部を回動自在とするための支持脚部を備え、一方、クリップ被固定体に調整体を取付けるための取付部を備えて、前記調整体の取付部をクリップ被固定体の取付部に取付けて、その取付部を支点とした調整体の回動によって、クリップ本体当接部をクリップ本体の当接部位に当接してクリップ本体の把持力を調整可能とすると共に、前記クリップ本体当接部と当接するクリップ本体の当接部位に、クリップ本体当接部の係止可能な係止部を備えてなるクリップ構造。
【請求項３】
クリップ本体が移動片と固定片とで略Ｕ字形をなすことによって形成する挟み込み部へ薄物たる被クリップ体を挟み込むクリップ構造であって、クリップ本体を被クリップ体側へ押圧することによってクリップ本体が被クリップ体を把持する把持力を調整可能な調整体を設け、その調整体は、取付部を支点としてクリップ本体当接部を回動自在とするための支持脚部を備え、
一方、前記クリップ本体の固定片に調整体を取り付けるための調整体取付部を備えて、前記調整体に設けた取付部を、調整体取付部に取付けて、その取付部を支点とした調整体の回動によって、クリップ本体当接部をクリップ本体の当接部位に当接してクリップ本体の把持力を調整可能とすると共に、前記クリップ本体当接部と当接するクリップ本体の当接部位に、クリップ本体当接部の係止可能な突起部を備えてなるクリップ構造。
【請求項４】
クリップ本体が略Ｕ字形をなすことによって形成する挟み込み部へ薄物たる被クリップ体を挟み込み可能とし、クリップ本体が被クリップ体を把持する把持力を調整可能とするために、クリップ本体を被クリップ体側へ押圧するようにクリップ本体へ当接するクリップ本体当接部を備えた調整体を設け、さらに前記クリップ本体の開口側が弧を描くように回動可能および回動停止可能であるように固定するクリップ固定体とで設けられてなるクリップ構造であって、前記クリップ固定体を一体または別体で一体に固定するクリップ被固定体が設けられると共に、前記クリップ本体がクリップ被固定体面に対し垂直な方向を支持軸として回動するように構成されてなるクリップ構造。
【請求項５】
クリップ本体とそのクリップ本体を固定する筆記具との間に形成した挟み込み部によって薄物たる被クリップ体を挟み込むクリップ付き筆記具であって、クリップ本体を被クリップ体側へ押圧することによってクリップ本体が被クリップ体を把持する把持力を調整可能な調整体を備え、その調整体は、クリップ被固定体へ調整体全体を取り付けるための取付部と、クリップ本体へ当接するクリップ本体当接部とを備え、筆記具は、ノック部を進退させることによってペン先を出没させる筆記具であって、ノック部にはロック用窪みが設けられており、調整体がノック部側に位置した場合に、調整体をロック用窪みに位置させてノック部の進退が不能となるように形成したクリップ付き筆記具。
【請求項６】
クリップ本体が略Ｕ字形をなすことによって形成する挟み込み部へ薄物たる被クリップ体を挟み込むクリップ付き筆記具であって、クリップ本体を被クリップ体側へ押圧することによってクリップ本体が被クリップ体を把持する把持力を調整可能な調整体を備え、その調整体は、クリップ本体へ調整体全体を取り付けるための取付部と、クリップ本体へ当接するクリップ本体当接部とを備え、筆記具は、ノック部を進退させることによってペン先を出没させる筆記具であって、ノック部にはロック用窪みが設けられており、調整体がノック部側に位置した場合に、調整体をロック用窪みに位置させてノック部の進退が不能となるように形成したクリップ付き筆記具。
【発明の詳細な説明】
【０００１】
【発明の属する技術分野】
本発明は、クリップの把持力を調整するためのクリップ構造、およびそのクリップ構造を備えた筆記具に関するものである。
【０００２】
【先行技術】
筆記具などには、その筆記具をポケットや手帳等に固定するためのクリップが設けられることが多い。このクリップは、一定の力で挟み込んだものを把持している。このクリップの把持力が弱いと挟みやすいが外れやすくなり、クリップとしての機能を果たさない場合もある。反対に、クリップの把持力が強いと外れにくくなるが挟みにくくなる。この場合、把持力が強いのに無理して挟もうとすると、クリップ自体あるいはクリップを固定している筆記具が破損してしまうこともあった。
【０００３】
【発明が解決しようとする課題】
このため、クリップの把持力が調整でき、例えば、挟む時は挟みやすく、いったん挟んだ後は外れにくくなるクリップなどが求められていた。請求項１から請求項４記載の発明の目的は、挟み込む対象物の厚さ、把持する程度などその使用状況に合わせて、クリップの把持力を調整できるクリップ構造を提供することである。また、請求項５および請求項６記載の発明の目的は、挟み込む対象物の厚さ、把持する程度などその使用状況に合わせて、クリップの把持力を調整できるクリップ構造を備え、且つペン先の不用意な露出を防ぐロック機構を備えた筆記具を提供することである。なお、筆記具などのクリップに関する発明には、特開２００１−７１６８０公報などに多く開示されているが、クリップの把持力を調整できるものは発見できなかった。
【０００４】
【課題を解決するための手段】
（請求項１）前述の課題を解決する請求項１記載の発明は、クリップ本体１０とそのクリップ本体１０を固定するクリップ被固定体４０との間に形成した挟み込み部１２によって薄物たる被クリップ体５０を挟み込むクリップ構造に係る。すなわち、クリップ本体１０を被クリップ体５０側へ押圧することによってクリップ本体１０が被クリップ体５０を把持する把持力を調整可能な調整体３０を備え、その調整体３０は、クリップ被固定体４０へ調整体３０全体を取り付けるための取付部３２と、クリップ本体へ当接するクリップ本体当接部３１とを備えて形成したクリップ構造である。
【０００５】
（用語説明）ここで、「クリップ被固定体４０」とは、クリップ本体１０が固定される部材であり、例えば、胸ポケットに入るような小物、ボールペンや万年筆のような筆記具、あるいはそれら筆記具に用いられるキャップなどの他に、ネームプレート、薄型のペンケース、携帯電話なども含まれる。「薄物たる被クリップ体５０」とは、クリップ本体１０によって把持される薄い髪や布などであり、例えば、胸ポケット、シート状の部材（たとえば、メモ用紙、クリアファイル、ノートブック）、などである。
【０００６】
また、請求項１記載の発明において、調整体３０は、取付部３２を支点としてクリップ本体当接部３１を回動自在とするための支持脚部３３を備え、把持力は、その取付部３２を支点とした調整体３０の回動によってクリップ本体当接部３１とクリップ本体１０との当接位置を変更することによって調整可能となる。
【０００７】
（作用）クリップ本体１０とそのクリップ本体１０を固定するクリップ被固定体４０との間に形成した挟み込み部１２によって薄物たる被クリップ体５０を挟み込む。そして、調整体３０が、クリップ本体１０を被クリップ体５０側へ押圧することによって、クリップ本体１０が被クリップ体５０を把持する把持力を調整する。クリップ本体当接部３１とクリップ本体１０との当接位置を変更して、把持力が強まるように調整すれば、被クリップ体５０が薄くてもクリップ被固定体４０を被クリップ体５０へ強くクリッピングすることができる。また、把持力が弱まるように調整すれば、被クリップ体５０が厚くても、クリップ本体１０の変形や破損を防ぎつつクリップ被固定体４０を被クリップ体５０へクリッピングすることができる。
また、調整体３０における取付部３２を支点としてクリップ本体当接部３１を回動自在とするための支持脚部３３を備えているので、クリップ本体当接部３１が回動可能となる。したがって、クリップ本体当接部３１を回動させると、調整体３０がクリップ本体１０を被クリップ体５０側へ押圧する。これによって、クリップ本体１０が被クリップ体５０を把持する把持力が強まる。反対に、調整体３０がクリップ本体１０を被クリップ体５０から離れるように回動させれば、クリップ本体１０が被クリップ体５０を把持する把持力は弱まる。
【０００８】
（請求項２）請求項２記載の発明は、図５に示すように、クリップ本体当接部３１と当接するクリップ本体１０の当接部位１９に、クリップ本体当接部３１の係止可能な係止部を備えたクリップ構造に係る。また、「係止部」は、図２における当接部位１９に図６に示される突起部１５を設けてもよい。「係止部」は、単数でも良いが、把持力を細かく調整するためには図５に示すように複数設けることとしても良い。
【０００９】
（作用）クリップ本体当接部３１が係止部１９ｂに位置した場合には、当接部位１９におけるクリップ本体当接部３１の位置を回動させずに維持する。そのため、係止部１９ｂによる係止力を越える外力を加えない限り、クリップ本体当接部３１を再び回動させることはできないので、クリップ本体当接部３１は安定した把持力を、クリップ本体１０へ提供する。また、係止部１９ｂを複数設けた場合には、把持力を細かく調整することができる。
【００１０】
（請求項３）請求項３記載の発明は、請求項１記載のクリップ構造とは、クリップ本体１０の構造が異なる。すなわち、クリップ本体１０が略Ｕ字形をなすことによって形成する挟み込み部１２へ薄物たる被クリップ体５０を挟み込むクリップ構造であって、クリップ本体１０を被クリップ体５０側へ押圧することによってクリップ本体１０が被クリップ体５０を把持する把持力を調整可能な調整体３０を備え、その調整体３０は、クリップ本体１０へ調整体３０全体を取り付けるための取付部３２と、クリップ本体１０へ当接するクリップ本体当接部３１とを備えて形成したクリップ構造に係る。また、クリップ本体当接部３１と当接するクリップ本体１０の当接部位に、係止可能な突起部１５が設けられている。
【００１１】
（作用）略Ｕ字形をなすクリップ本体１０における挟み込み部１２へ、薄物たる被クリップ体５０を挟み込む。そして、調整体３０が、クリップ本体１０を被クリップ体５０側へ押圧する。すると、取付部３２とクリップ本体当接部３１とが近づき、クリップ本体１０が被クリップ体５０を把持する把持力が強まる。反対に、調整体３０による押圧を弱めれば、クリップ本体１０が被クリップ体５０を把持する把持力は弱まる。すなわち、被クリップ体５０が厚くても、クリップ本体１０の変形や破損を防ぎつつクリップ被固定体４０を被クリップ体５０へクリッピングすることができる。また、クリップ本体当接部３１と当接するクリップ本体１０の当接部位に、係止可能な突起部１５が設けられることで、係止部に係止力を越える外力を加えない限り、クリップ本体当接部を回動させることはできないので、クリップ本体当接部は安定した把持力を維持することができる。
【００１２】
（請求項４）請求項４記載の発明は、クリップ本体が略Ｕ字形をなすことによって形成する挟み込み部へ薄物たる被クリップ体を挟み込み可能とし、クリップ本体が被クリップ体を把持する把持力を調整可能とするために、クリップ本体を被クリップ体側へ押圧するようにクリップ本体へ当接するクリップ本体当接部を備えた調整体を設け、さらに前記クリップ本体の開口側が弧を描くように回動可能および回動停止可能であるように固定するクリップ固定体とで設けられてなるクリップ構造であって、前記クリップ固定体を一体または別体で一体に固定するクリップ被固定体が設けられると共に、前記クリップ本体がクリップ被固定体面に対し垂直な方向を支持軸として回動するように構成されてなり、例えば、ノートブックの表紙が比較的厚くてもクリッピングすることができるとともに、クリップ本体を回転させれば邪魔にならない位置に固定することができ、筆記具およびノートブックが持ち運びなどにおいて一体化できる。
【００１３】
（請求項５）請求項５記載の発明は、クリップ本体１０とそのクリップ本体１０を固定する筆記具（４０）との間に形成した挟み込み部１２によって薄物たる被クリップ体５０を挟み込むクリップ付き筆記具に係る。すなわち、クリップ本体１０を被クリップ体５０側へ押圧することによってクリップ本体１０が被クリップ体５０を把持する把持力を調整可能な調整体３０を備え、その調整体３０は、クリップ被固定体４０へ調整体３０全体を取り付けるための取付部３２と、クリップ本体へ当接するクリップ本体当接部３１とを備え、筆記具（４０）は、ノック部４４を進退させることによってペン先を出没させる筆記具であって、ノック部にはロック用窪み４４ａが設けられており、調整体３０がノック部４４側に位置した場合に、調整体３０をロック用窪み４４ａに位置させてノック部４４の進退が不能となるように形成したクリップ付き筆記具である。
【００１４】
（作用）クリップ本体１０とそのクリップ本体１０を固定するクリップ被固定体４０との間に形成した挟み込み部１２によって薄物たる被クリップ体５０を挟み込む。そして、調整体３０が、クリップ本体１０を被クリップ体５０側へ押圧することによって、クリップ本体１０が被クリップ体５０を把持する把持力が調整する。把持力が強まるように調整すれば、被クリップ体５０が薄くてもクリップ被固定体４０を被クリップ体５０へ強くクリッピングすることができる。把持力が弱まるように調整すれば、被クリップ体５０が厚くてもクリップ被固定体４０を被クリップ体５０へ強くクリッピングすることができる。調整体３０がロック用窪み４４ａに位置すると、ノック部４４の進退ができなくなる。そのため、筆記具のペン先が露出せず、ペン先からインクが漏れたりするといったことを防止し、収納時の安全性を確保できる。
【００１５】
（請求項６）請求項６記載の発明は、クリップ本体１０が略Ｕ字形をなすことによって形成する挟み込み部１２へ薄物たる被クリップ体５０を挟み込むクリップ付き筆記具に係る。すなわち、クリップ本体１０を被クリップ体５０側へ押圧することによってクリップ本体１０が被クリップ体５０を把持する把持力を調整可能な調整体３０を備え、その調整体３０は、クリップ本体１０へ調整体３０全体を取り付けるための取付部３２と、クリップ本体１０へ当接するクリップ本体当接部３１とを備え、筆記具（４０）は、ノック部４４を進退させることによってペン先を出没させる筆記具であって、調整体３０がノック部４４側に位置した場合に、調整体３０をロック用窪み４４ａに位置させてノック部４４の進退が不能となるように形成したクリップ付き筆記具である。
【００１６】
（作用）略Ｕ字形をなすクリップ本体１０における挟み込み部１２へ、薄物たる被クリップ体５０を挟み込む。そして、調整体３０が、クリップ本体１０を被クリップ体５０側へ押圧する。すると、取付部３２とクリップ本体当接部３１とが近づき、クリップ本体１０が被クリップ体５０を把持する把持力が強まる。反対に、調整体３０による押圧を弱めれば、クリップ本体１０が被クリップ体５０を把持する把持力は弱まる。クリップ本体当接部３１がロック用窪み４４ａに位置すると、ノック部４４の進退ができなくなる。そのため、筆記具のペン先が露出せず、ペン先からインクが漏れたりするといったことを防止し、収納時の安全性を確保できる。
【００１７】
【発明の実施の形態】
本発明を実施形態及び図面に基づいて説明する。説明に使用する図面は、図１から図２０である。図１から図１０にて、クリップの把持力を調整できる実施形態について説明し、図１１から図２０にて、クリップが回動する実施形態について説明する。
【００１８】
（図１）本実施形態は、クリップ被固定体である筆記具用キャップ４７の後端部に取り付けられるクリップ本体１０の把持力を調整可能なクリップ構造であり、その把持力の調整は、調整体３０によって行われる。その調整体３０は、まず棒状のクリップ本体当接部３１と、そのクリップ本体当接部３１の両端から連続して一体化している略Ｕ字形をなす２本の支持脚３３，３３と、それら支持脚３３，３３におけるクリップ本体当接部３１と反対側において向かい合う２つの円筒形の回動用突起３２，３２とを備える。この材質は熱可塑性樹脂であり、適度に弾性変形が可能である。
【００１９】
調整体３０は、また、筆記具用キャップ４７におけるクリップ本体１０の根元側に、回動用突起３２，３２をはめ込み可能な二つの調整体取付部１６（反対側は図示できず）を、クリップ本体１０の幅方向と平行な位置に備えている。なお、筆記具用キャップ４７の後端部に取り付けられるクリップ本体１０は、根元付近を外側へ湾曲して膨らませた形状をなしている。
【００２０】
そして、調整体３０は、支持脚３３，３３を弾性変形の限度内で拡開させて回動用突起３２，３２の間隔を広げ、筆記具用キャップ４７に設けられた調整体取付部１６，１６へ挿入させることによって、筆記具用キャップ４７に取り付ける。すると、クリップ本体当接部３１は、前述の調整体取付部１６を回動の支点（回動支点）として回動可能となる。
【００２１】
（図２）続いて、図２を用いて、クリップ本体１０と調整体３０との位置関係、寸法関係などを説明することによって、把持力の調整について説明する。
まず、クリップ本体当接部３１がクリップ本体１０とは接していない状態をフリーポジションＱ０とし、クリップ本体１０における湾曲した部位１９を乗り越えた状態をパワーポジションＱ２とする。そして、フリーポジションＱ０におけるクリップ本体当接部３１と調整体取付部１６，１６との回動半径ａと、パワーポジションＱ２におけるクリップ本体当接部３１と調整体取付部１６，１６との長さｂとは、ａ＜ｂ  の関係となるように、クリップ本体１０および調整体３０の形状や寸法が決定されている。すなわち、パワーポジションＱ２においては、調整体３０の支持脚３３，３３は弾性変形限度内で拡開する。
【００２２】
まず、調整体３０のクリップ本体当接部３１は、クリップ本体１０とは接していない、フリーポジションＱ０に位置させる。そして、クリップ本体１０は、その開口１１側からポケット５０へ差し込み、クリップ本体１０と筆記具用キャップ４７との間に形成される挟み込み部１２へポケット５０を挟み込む。続いて、調整体３０のクリップ本体当接部３１をフリーポジションＱ０から、クリップ本体１０における湾曲した当接部位１９を乗り越えたパワーポジションＱ２の位置へ回動させる。調整体３０が当接部位１９を乗り越えた後は、クリップ本体１０が弾性変形することができる範囲は、調整体３０が当接部位１９を乗り越える前よりも短くなる。このため、調整体３０が当接部位１９を乗り越えた後は、開口１１におけるクリップ本体１０がたわみにくくなる。したがって、調整体３０が当接部位１９を乗り越えた後は、乗り越える前に比べて、同一厚さの被クリップ体５０を挟んだ場合におけるクリップ本体１０の把持力が大きくなる。そのために把持力が増加し、筆記具用キャップ４７をポケット５０へより確実に固定できるようになる。
【００２３】
（図３）図３は、フリーポジションＱ０とパワーポジションＱ２との中間にハーフポジションＱ１を設け、そのハーフポジションＱ１へクリップ本体当接部３１を位置させた様子を示している。ハーフポジションＱ１におけるクリップ本体当接部３１と調整体取付部１６，１６との回動半径は、パワーポジションＱ２のそれよりも小さく、把持力の増加はパワーポジションＱ２よりも小さい。したがって、図３に示すように、図２の場合よりも厚いポケット５０へ挟み込む場合などに適している。
【００２４】
（図４）図４に示すのは、被クリップ体５０が手帳などの厚いものであり、とくに把持力の増加が不要な場合である。すなわち、クリップ本体当接部３１を回動させず、フリーポジションＱ０の位置のままにしておけばよい。なお、被固定部材４０がその後軸４３にノック部４４を備えているボールペンやシャープペンシルの場合には、このクリップ本体当接部３１がフリーポジションＱ０の位置にあることで、ノック部４４の進退を妨げるようにしている。これによって、ノック部４４のロック機構としても作用するため、不必要な場合に筆記具のペン先が露出することを未然に防止することも可能となる。
【００２５】
（図５）図５は、本発明のクリップ構造の第二実施形態を示す。すなわち、クリップ本体１０の湾曲する当接部位１９の幅方向へ波状の係止部１９ｂ，１９ｂ，・・を備える。この係止部１９ｂ，１９ｂ，・・によって、クリップ本体当接部３１の当接位置を、回動後に確実に維持できるようになる。なお、係止部１９ｂはこの形状に限られるものではなく、例えば半球状のようなものを湾曲する当接部位１９上に設けて、係止部としてもよい。
【００２６】
（図６）図６は、本発明のクリップ構造の第三実施形態を示す。第一及び第二実施形態では、調整体３０を被固定部材たる筆記具用キャップ４７へ取り付けたが、第三実施形態の調整体３０は、略Ｕ字形のクリップ本体１０へ取り付けることに特徴がある。すなわち調整体３０は、２本の支持脚３３，３３とそれらの間に位置するクリップ本体当接部３１とによって略コ字形をなし、そのコ字形の開口部分には向かい合う回動用突起３２，３２を備える。この材質は、熱可塑性樹脂製の成形品である。
【００２７】
一方のクリップ本体１０は、幅広の薄板を変形させてＵ字形に形成したものであり、被固定部材へ固定される固定片１３と、被クリップ体５０を挟み込むために開口１１を開閉する移動片１４とによって略Ｕ字形をなしている。なお、移動片１４における根元付近には、クリップ固定体２０とは反対方向に向かって突出する突起１５が設けられている。調整体３０は、また、クリップ本体１０の固定片１３側に、調整体３０の回動用突起３２，３２を挿入して回動可能とする孔である調整体取付部１６（反対側は図示できず）を備えている。調整体３０は、弾性変形させてその回動用突起３２，３２を調整体取付部１６，１６へ挿入し、回動可能となる。
【００２８】
調整体３０を回動させることによってクリップ本体当接部３１が突起１５を乗り越えたポジションは、第一の実施形態にいう「パワーポジション」であり、クリップ本体１０を弾性変形させて挟み込み部１２を狭めることとなる。また、調整体３０が突起１５を乗り越えた後は、移動片１４が弾性変形することができる範囲は、調整体３０が突起１５を乗り越える前よりも短くなる。このため、調整体３０が突起１５を乗り越えた後は、開口１１における移動片１４がたわみにくくなる。したがって、調整体３０が突起１５を乗り越えさせた場合には、乗り越える前に比べて、同一厚さの被クリップ体５０を挟んだ場合におけるクリップ本体１０の把持力が大きくなる。なお、本実施形態のクリップ本体１０は、固定片１３の裏面にクリップ固定体としての両面テープ２０を取り付け、ペンケース５０などの任意の被クリップ体に対して、把持力調整可能なクリップ本体１０を設けることが可能なものである。
【００２９】
（図７）図７に示す第四実施形態は、調整体３０の取付部としてナット１６ａ、クリップ本体当接部として円盤状のボルト頭を設けたボルト３１ａ及びワッシャ３１ｂの組合せとしたものである。すなわち、雌ねじ部たるナット１６ａを備えた円筒状のクリップ固定体２０と、そのクリップ固定体２０へクリップ本体１０を固定するためのボルト３１ａ及びワッシャ３１ｂとを備えたものである。
【００３０】
また、略Ｕ字形をしたクリップ本体１０には、ボルト３１ａを挿入可能とするボルト孔１９ｃ、１９ｃを設ける。そして、そのボルト孔１９ｃ、１９ｃにワッシャ３１ｂを介在させてからボルト３１ａを挿入し、前記ナット１６ａと螺合させる。このボルト３１ａを深くねじ込むほど、把持力が増加する。なお、本実施形態の場合、ボルト３１ａを支軸として、クリップ本体１０の取付向きを、筆記具４０の長手方向に対して３６０度回転させることができる。すなわち、第四実施形態では、調整体３０を使って、略Ｕ字形クリップ本体１０の把持力の調整と、クリップ本体１０の取付向きの調整との２つの機能を有することができる。
【００３１】
（図８）図８は、第五の実施形態を示す。この実施形態では、第四の実施形態の調整体３０におけるボルトとナットとの組合せを逆にしたものである。すなわち、調整体３０の取付部としてボルト１６ｂ、クリップ本体当接部として円盤状のナット３１ｃ及びワッシャ３１ｄを備えたものである。クリップ本体１０には、その長手方向と垂直に交わるようにボルト１６ｂを挿入可能とするボルト孔１９ｃ、１９ｃを設ける。そして、そのボルト孔１９ｃ、１９ｃにワッシャ３１ｄを介在させてボルト１６ｂを挿入して、ナット３１ｃを螺合させる。このナット３１ｃの螺合具合で、略Ｕ字形クリップ本体１０の挟み込み部１２に挟まれた被クリップ体５０を把持する把持力を調整できる。すなわち、ナット３１ｃを深く螺合させるほど、把持力が増加する。なお、この実施形態も第四実施形態と同じく、ボルト１６ｂを支軸として、クリップ本体１０の取付向きを、筆記具４０の長手方向に対して３６０度回転させることができる。
【００３２】
（図９）図９は、第六の実施形態を示す。第六の実施形態では、第四実施形態及び第五実施形態と同じように、調整体３０としてボルトおよびナットの組合せを採用したものであるが、クリップ本体１０とそのクリップ本体１０を固定する筆記具４０との間に形成した挟み込み部１２によって被クリップ体５０を挟み込むクリップ構造である。すなわち、調整体３０の取付部としてボルト１６ｃ、クリップ本体当接部として円盤状のナット３１ｃ及びワッシャ３１ｄを備える。後の構成および作用については、前述した第五の実施形態とほぼ同様であるので、詳しい説明を省略する。
【００３３】
（図１０）図１０は第七の実施形態を示す全体図であり、（ａ）は正面図、（ｂ）は側面図である。本実施形態におけるクリップ被固定体４０は、ノック式ボールペンである。このボールペン４０は、先口４１、先軸４２、後軸４３、ノック部４４を備えて構成されている。クリップ本体１０における後軸４３のノック部４４付近には、調整体３０がクリップ本体１０を跨いで回動可能に固定されている。この調整体３０は、クリップ本体１０に対する位置を変更することによって、クリップ本体１０における挟み込む力を調整するものであると同時に、必要に応じてノック部４４を進退不能とすることができるものである。
【００３４】
本実施形態におけるノック式ボールペン４０は、先軸４３をくびれた形状とするとともに、先軸４２と先口４１との間に径の大きな環状部４１ａを設けている。その環状部４１ａは、中央付近を最も大径とし、先口４１側に向かって径を減少させるテーパを形成している。このように形成することによって、筆記時の滑りを防止して握りを安定させることに寄与する。さて、前述の環状部４１ａは、透明な材質を採用している。先軸４３が太いために筆記時にペン先が見にくいという不具合を軽減するため、およびインク残量の認識を可能とするためである。
【００３５】
（図１１）図１１に示すのは、回転可能なクリップ構造の実施形態を示す全体図であり、（ａ）は正面図、（ｂ）は側面図である。本実施形態におけるクリップ被固定体４０は、ノック式ボールペンである。このボールペン４０は、先口４１、先軸４２、後軸４３、ノック部４４を備えて構成されている。そして、後軸４３には、後軸４３の外径寸法を内径寸法とするリング形状をなすクリップ固定体２０が固定され、そのクリップ固定体２０を介してクリップ本体１０が固定される。なお、本発明は、先軸４２と後軸４３とを相対的に回転させたり、あるいはノック部４４と後軸４３とを相対的に回転させることでペン先を繰り出す繰り出し式の筆記具においても採用可能である。クリップ固定体２０には、ボールペン４０の軸方向に直角な貫通孔をなす紐用リング２９が一体形成されている。この紐用リング２９には紐などを通し、ボールペン４０を首へ吊り下げたりすることが可能となる。
【００３６】
クリップ本体１０は、略Ｕ字形をなすことによって形成される挟み込み部１２へ薄物たる被クリップ体５０、例えば胸ポケットを挟み込み可能な部材である。具体的には、後軸４３に沿う固定片１３と、被クリップ体５０を挟み込むために開口１１を開閉する移動片１４とによって略Ｕ字形をなしている。なお、移動片１４における根元付近には、クリップ固定体２０とは反対方向に向かって突出する突起部１５が設けられている。
【００３７】
クリップ本体１０における固定片１３の根元付近には、調整体３０がクリップ本体１０を跨いで回動可能に固定されている。この調整体３０は、クリップ本体１０に対する位置を変更することによって、クリップ本体１０における挟み込む力を調整するものである。具体的には、クリップ本体１０における突起１５よりも根元側に位置する際には、移動片１４に対して何らの力も与えないが、突起１５を乗り越えた位置においては移動片１４を弾性変形させて固定片１３へ近づける。この際、移動片１４が既に弾性変形して挟み込み部１２を狭めることとなっているので、クリップ本体１０における挟み込む力は、増加することとなる。
【００３８】
（図１２）図１２に示すのは、前述のクリップ本体１０およびクリップ固定体２０の組立斜視図である。調整体３０は、略コ字形をなし、そのコ字形の開口部分には向かい合う回動用突起３２を備えている熱可塑性樹脂製の成型品である。そのため、ある程度の弾性変形が可能である。クリップ本体１０の固定片１３側には、調整体３０の回動用突起３２を挿入して回動可能とする孔である調整体取付部１６を備えている。調整体３０を弾性変形させてその回動用突起３２を調整体取付部１６へ挿入し、調整体３０が回動可能となる。
【００３９】
クリップ本体１０の固定片１３側における開口１１側には、クリップ本体１０をクリップ固定体２０に対して回動させるためのギヤ１７を固定している。クリップ固定体２０には、クリップ本体１０を支持する箱状のクリップ支持箱２１を備えている。そのクリップ支持箱２１には、前記ギヤ１７を挿入可能なギヤ出入り孔２２と、そのギヤ出入り孔２２に対して先軸４２側へ連続したギヤ回動孔２３とを備えている。クリップ固定体２０のギヤ１７は、ギヤ出入り孔２２から挿入し、ギヤ回動孔２３へ移動させる。ギヤ回動孔２３はギヤ１７よりも小さく、ギヤ回動孔２３に位置した場合には抜け出ることはない。
【００４０】
クリップ支持箱２１の反先軸４２側には、図示できていないがスリット状の孔が設けられている。そのスリット状の孔に対し、装着可能な略Ｃ字形をなすギヤ受けリング２５を装着する。ギヤ受けリング２５の開口部分と反対側には、ギヤ１７のギヤ歯型に合致したギヤ受け部２５ａを備えている。また、ギヤ受けリング２５の開口端部には、スリット状の孔へ一旦装着したら簡単には外れないようにするため、直角をなす切り欠き部たる固定体固定部２５ｂを備えている。
【００４１】
（図１３）図１３は、図１２に示したギヤ１７およびギヤ受けリング２５の位置関係を示す断面図である。ギヤ１７は、図１２に示したギヤ出入り孔２２から挿入され、ギヤ回動孔２３の直下へ収まっている。
そこへギヤ受けリング２５をスリット孔から装着し、固定体固定部２５ｂがスリット孔の端部へ噛み合う。それによって、ギヤ１７がギヤ出入り孔２２へ移動することを防ぐとともに、回動可能および回動停止可能であるように固定するのである。
【００４２】
ギヤ１７は、全周均等に八つの歯先１７ａを備えているが、ギヤ受けリング２５にはその歯先１７ａに合致する凹部たるギヤ受け部２５ａを備えている。そのギヤ受け部２５ａと歯先１７ａのひとつが噛み合い、ギヤ１７は回動停止が可能となる。また、クリップ本体１０へギヤ受け部２５ａを乗り越えるほどの力を加えると、ギヤ受けリング２５が弾性変形して回動が可能となり、次の歯先１７ａとギヤ受け部２５ａとが噛み合うことで回動は停止される。
【００４３】
ギヤ１７は八つの歯先１７ａを備えているので、歯先１７ａがひとつ移動するとクリップ本体１０は、クリップ固定体２０に対して４５度回動することとなる。なお、ギヤについては、八つの歯先１７ａを備えているとして本実施形態を説明したが、四歯、六歯、十二歯などとしても良いし、９０度から−９０度などと特定角度までしか回動しないようなギヤとしても良い。
【００４４】
（図１４）図１４は、クリップ本体１０を標準位置（Ｐ１）から−９０度回転させた状態を示した図であり、（ａ）は上面図、（ｂ）は正面図である。標準位置（Ｐ１）から−９０度回転させた状態とした場合において、被クリップ体５０を縦方向に開き軸のある手帳の表紙とすれば、手帳から筆記具４０が突出する寸法を、通常のクリップ付き筆記具に比べて小さく抑えることができる。なお、（ｂ）においては、調整体３０がクリップ本体１０における突起部１５を乗り越える前の状態を、一部断面図として示している。
【００４５】
（図１５）図１５は、クリップ固定体２０とクリップ本体１０との取付関係を示す断面図であり、調整体３０およびノック部４４のバリエーションを示している。まず、調整体３０がノック部４４にまで達することができるように、クリップ本体１０のプロポーションを変更している。また、ノック部４４にはロック用窪み４４ａが設けられており、調整体３０がノック部４４側に位置した場合に、調整体３０をロック用窪み４４ａに位置させてノック部４４を進退不能にすることができる。そのため、筆記具のペン先が露出せず、ペン先からインクが漏れたりするといったことを防止し、収納時の安全性を確保できる。
【００４６】
（図１６〜図１７）図１６は、クリップ固定体２０とクリップ本体１０との取付関係を示すための一部拡大断面図である。また、図１７は、クリップ固定体２０の平面図である。図１６に示すように、ギヤ出入り孔２２およびギヤ回動孔２３の内側には、ギヤ１７およびギヤ受けリング２５が噛み合う空間として、クリップ支持箱２１の内部空間たるギヤ空間２１ａが設けられている。また、ノック部４４を取り付けるための筒体であるキャップ取付部４５、およびそのキャップ取付部４５の内部空間として消しゴムなどを収納するための収納部４６を備えている。キャップ取付部４５の筒体の外周部分には、ノック部４４などを圧入固定するため、凹凸を形成している。本実施形態においては、クリップ固定体２０とクリップ被固定体、すなわち筆記具４０とは、一部を一体に形成したものとして説明した。しかし、クリップ固定体２０とクリップ被固定体４０とを別体で形成することも、当然可能である。
【００４７】
（図１８）図１８は、第二の実施形態を示す組立斜視図である。ここで（ａ）はクリップ本体１０およびクリップ固定体２０の組立状体を示す斜視図、（ｂ）は、クリップ本体１０の裏側を示す斜視図である。前述の実施形態では、クリップ本体１０にギヤ１７を、クリップ固定体２０にギヤ受け部２５ａをそれぞれ備えていたが、第二の実施形態では、クリップ本体１０にギヤ受け部１８を、クリップ固定体２０にギヤ２７をそれぞれ備えることとしている。
【００４８】
まず、クリップ固定体２０には、前述の実施形態にて採用していたクリップ支持箱２１、ギヤ受けリング２５などの代わりに、ボタン状の抜け止め部２６およびその抜け止め部の脚部分に形成したギヤ２７を備えている。一方、クリップ本体１０の固定片１３には、ギヤ１７の代わりに、ギヤ受け部１８を備えている。このギヤ２７の厚みは、クリップ本体１０の固定片１３の厚みと同一である。
【００４９】
ギヤ受け部１８は、抜け止め部２６を貫通させることができる出入り孔１８ａと、ギヤ２７に噛み合う出入り孔１８ａよりも小さなギヤ受け孔１８ｂとを連続して形成することによって瓢箪状をなしている。出入り孔１８ａとギヤ受け孔１８ｂとの境目付近に形成された凸部は、ギヤ２７における歯と歯の間と噛み合う。またギヤ受け孔１８ｂの反出入り孔１８ａ側には、ギヤ２７をギヤ受け孔１８ｂへ装着する際に、ギヤ受け孔１８ｂを弾性変形させて一時的に拡開させるための拡開用スリット１８ｃを備えている。
【００５０】
次に、クリップ本体１０とクリップ固定体２０との組立手順、および使用法について説明する。抜け止め部２６を出入り孔１８ａから通したら、ギヤ２７をギヤ受け孔１８ｂへ移動させる。その際、ギヤ２７よりも小さなギヤ受け孔１８ｂは、拡開用スリット１８ｃの存在によって弾性変形して一時的に拡開することができる。そして、出入り孔１８ａとギヤ受け孔１８ｂとの間の凸部が、ギヤ２７における歯と歯の間と噛み合うこととなる。ギヤ２７とギヤ受け孔１８ｂとが噛み合った状態では、クリップ本体１０はクリップ固定体２０に対して停止しているが、クリップ本体１０に対して回動させる力を加えると、拡開用スリット１８ｃの存在によって弾性変形して一時的にギヤ受け孔１８ｂが拡開し、ギヤ２７の歯先一つ分の回動が起きる。
【００５１】
（図１９）図１９には、被クリップ体５０をノートブックとし、クリップ被固定体４０を筆記具とした場合を斜視図にて示している。ノートブックの表紙が比較的厚くてもクリッピングすることができるとともに、クリップ本体１０を９０度回転させれば邪魔にならない位置に固定することができ、筆記具４０およびノートブック５０が持ち運びなどにおいて一体化している。
【００５２】
（図２０）図２０には、クリップ被固定体４０をネームプレートとした場合を斜視図にて示している。従来のネームプレートは、上着などの胸ポケットに装着することのみしか考えられておらず、胸ポケットのない服を着用していることの多い者（特に女性）は、襟元へ斜めに装着したりしていた。しかし、本実施形態によれば、クリップ本体１０をネームプレート４０に対して回転させることができるので、上記のような不具合はない。
【００５３】
【発明の効果】
請求項１から請求項４記載の発明によれば、挟み込む対象物の厚さ、把持する程度などその使用状況に合わせて、クリップの把持力を調整できるクリップ構造を提供することができた。また、請求項５および請求項６記載の発明によれば、挟み込む対象物の厚さ、把持する程度などその使用状況に合わせて、クリップの把持力を調整できるクリップ構造を備え、且つペン先の不用意な露出を防ぐロック機構を備えた筆記具を提供することができた。
【図面の簡単な説明】
【図１】  クリップの把持力を調整可能な実施形態を示す説明用斜視図である。
【図２】  クリップの把持力を調整可能な実施形態の使用状態を示す説明図である。
【図３】  クリップの把持力を調整可能な実施形態の使用状態を示す説明図である。
【図４】  クリップの把持力を調整可能な実施形態の使用状態を示す説明図である。
【図５】  クリップ本体の係止場所を複数備えた実施形態を示す説明用斜視図である。
【図６】  調整体を略Ｕ字形のクリップ本体へ取り付けるの実施形態を示す説明用斜視図である。
【図７】  調整体としてボルトおよびナットの組合せを採用した実施形態を示す説明用斜視図である。
【図８】  調整体としてボルトおよびナットの組合せを採用した実施形態を示す説明用斜視図である。
【図９】  調整体としてボルトおよびナットの組合せを採用した実施形態を示す説明用斜視図である。
【図１０】  ノック式ボールペンに採用されたクリップ構造の実施形態を示す説明用三面図である。
【図１１】  回転可能なクリップ構造の実施形態を示す全体図である。
【図１２】  クリップ本体およびクリップ固定体の組立斜視図である。
【図１３】  ギヤおよびギヤ受けリングの位置関係を示す断面図である。
【図１４】  クリップ本体を標準位置から−９０度回転させた状態を示した図である。
【図１５】  クリップ固定体とクリップ本体との取付関係を示す断面図である
【図１６】  クリップ固定体とクリップ本体との取付関係を示す一部拡大断面図である。
【図１７】  クリップ固定体の平面図である。
【図１８】  回転可能な別のクリップ構造の実施形態を示す組立斜視図である。
【図１９】  被クリップ体をノートブックとした場合を示す斜視図である。
【図２０】  クリップ被固定体をネームプレートとした場合を示す組立斜視図である。
【符号の説明】
１０    クリップ本体
１１    開口
１２    挟み込み部
１３    固定片
１４    移動片
１５    突起部
１６    調整体取付部
１７    ギヤ
１７ａ  歯先
１８    ギヤ受け部
１８ａ  出入り孔
１８ｂ  ギヤ受け孔
１８ｃ  拡開用スリット
１９    当接部位
１９ｂ  係止部
１９ｃ  ボルト孔
２０    クリップ固定体
２１    クリップ支持箱
２１ａ  ギヤ空間
２２    ギヤ出入り孔
２３    ギヤ回動孔
２５    ギヤ受けリング
２５ａ  ギヤ受け部
２５ｂ  固定体固定部
２６    抜け止め部
２７    ギヤ
２９    紐用リング
３０    調整体
３１    クリップ本体当接部
３２    取付部
３３    支持脚
３４    端部
４０    クリップ被固定体（筆記具、ネームプレート）
４１    先口
４１ａ  環状部
４２    先軸
４３    後軸
４４    ノック部
４４ａ  ロック用窪み
４５    キャップ取付部
４６    収納部
４７    筆記具用キャップ
４８    軸穴
５０    被クリップ体（ポケット、ノートブック）
６１    軸穴
６２    ボルト孔
Ｐ１    標準位置
Ｑ０    フリーポジション
Ｑ１    ハーフポジション
Ｑ２    パワーポジション
【図１】
0003919526.tif 000002
【図２】
0003919526.tif 000003
【図３】
0003919526.tif 000004
【図４】
0003919526.tif 000005
【図５】
0003919526.tif 000006
【図６】
0003919526.tif 000007
【図７】
0003919526.tif 000008
【図８】
0003919526.tif 000009
【図９】
0003919526.tif 000010
【図１０】
0003919526.tif 000011
【図１１】
0003919526.tif 000012
【図１２】
0003919526.tif 000013
【図１３】
0003919526.tif 000014
【図１４】
0003919526.tif 000015
【図１５】
0003919526.tif 000016
【図１６】
0003919526.tif 000017
【図１７】
0003919526.tif 000018
【図１８】
0003919526.tif 000019
【図１９】
0003919526.tif 000020
【図２０】
0003919526.tif 000021